(57)【要約】【課題】  感染症遺体を収容して長時間保存する場合でも、腐敗ガスの悪臭及び感染菌の拡散を確実に防止することができ、遺体の種類に応じて適切な保存を行うことができる遺体袋を提供する。【解決手段】  遺体を収容するための開閉可能な開口部を備えた袋部材３からなり、当該袋部材３には、前記袋部材３の内部空間である遺体収容空間６と、前記袋部材３の外部とを連通する連通孔１１が備わり、当該連通孔１１には筒状のホルダー４が固着され、当該ホルダーに複数種類の蓋部材が交換可能に取り付けられる。【選択図】        図1
2009061029.tif 000002
【特許請求の範囲】
【請求項１】
遺体を収容するための開閉可能な開口部を備えた袋部材からなり、
当該袋部材には、前記袋部材の内部空間である遺体収容空間と、前記袋部材の外部とを連通する連通孔が備わり、
当該連通孔には筒状のホルダーが固着され、
当該ホルダーに複数種類の蓋部材が交換可能に取り付けられることを特徴とする遺体袋。
【請求項２】
前記ホルダーは、互いに接合する２つの筒部材からなり、前記連通孔周縁の前記袋部材は、前記２つの筒部材と密着して挟持されることを特徴とする請求項１に記載の遺体袋。
【請求項３】
前記蓋部材には、消臭又は殺菌作用を有するフィルタが備わることを特徴とする請求項１又は２に記載の遺体袋。
【請求項４】
前記ホルダーの前記袋部材の外部側には、前記ホルダー内の連通孔から外部へ空気を流通可能とする空気流通構造が形成されることを特徴とする請求項１〜３のいずれかに記載の遺体袋。
【請求項５】
前記空気流通構造は、前記ホルダーの前記袋部材の外部側の側壁に形成された貫通孔であることを特徴とする請求項１〜４のいずれかに記載の遺体袋。
【請求項６】
前記空気流通構造は、前記ホルダーの前記袋部材の外部側の端面に形成された凸部又は凹部であることを特徴とする請求項１〜４のいずれかに記載の遺体袋。
【請求項７】
前記ホルダーと前記蓋部材との接合面に、Ｏリングが介装されることを特徴とする請求項１〜６のいずれかに記載の遺体袋。
【請求項８】
前記袋部材の表面には、前記遺体収容空間内に収容された遺体の感染の種類に応じて前記ホルダーに取り付けるべき前記蓋部材の種類を記載した表示部が備わることを特徴とする請求項１〜７のいずれかに記載の遺体袋。
【発明の詳細な説明】
【技術分野】
【０００１】
この発明は、遺体を収容するための遺体袋に関するものである。
【背景技術】
【０００２】
航空事故や地震、水害、津波による災害等が発生して大量の死者が出た場合、その処理を施すまでに遺体を遺体袋に収容して保存する。この遺体袋は、ポリビニル系樹脂（ＰＶ素材）からなる密封袋で、面ファスナー（あるいはファスナー）により開口部が設けられる。遺体は、この面ファスナーを開けて開口部から収容される。この後、面ファスナーを閉じて、保存される。
【０００３】
遺体は、死後２時間程度で死斑が観察され，死後硬直が起こる。この後、遺体は膨満し、腐敗ガスが発生する。この腐敗ガスの発生により遺体袋内は与圧状態となり、遺体袋の縫い目や面ファスナー等のわずかな隙間から腐敗ガスが漏洩する。腐敗ガスは悪臭を伴うものであるため、遺体袋から漏洩すると、周囲に悪影響を与えることになる。この腐敗ガスの発生は保存温度等の環境により左右されるので、腐敗ガスを発生させないために、保存場所を選んで保存している。
【０００４】
しかしながら、上述したような大量の死者を保存する場合には、そのような環境が整った場所に全ての遺体を保存することは困難である。この場合、腐敗ガスの漏洩を防止することができないことになる。特に、遺体が感染症遺体の場合、腐敗ガスとともに細菌やウイルス等の感染菌も漏洩し、外部に拡散することになる。災害現場と保存場所が遠い場合は、搬送経路でも感染菌が拡散し、さらなる感染が起こりうる。
【０００５】
一方で、有機体収納袋が特許文献１に開示されている。この有機体収納袋は、袋本体に活性炭筒を備え、遺体から発生する腐敗ガスの臭気を抑制するものである。
【０００６】
【特許文献１】特開２００７−１１１４９８号公報
【発明の開示】
【発明が解決しようとする課題】
【０００７】
しかしながら、特許文献１の有機体収納袋は、感染症遺体を収容した場合に、この感染菌の拡散の防止について考慮されていない。また、遺体が感染症ではない通常の遺体の場合であってすぐに処理を行う場合、すなわち腐敗ガスの発生の前に処理を施す場合は、遺体袋は密閉されていたほうが好ましい。
【０００８】
この発明は、上記従来技術を考慮したものであって、感染症遺体を収容して長時間保存する場合でも、腐敗ガスの悪臭及び感染菌の拡散を確実に防止することができ、遺体の種類に応じて適切な保存を行うことができる遺体袋を提供することを目的とする。
【課題を解決するための手段】
【０００９】
前記目的を達成するため、請求項１の発明では、遺体を収容するための開閉可能な開口部を備えた袋部材からなり、当該袋部材には、前記袋部材の内部空間である遺体収容空間と、前記袋部材の外部とを連通する連通孔が備わり、当該連通孔には筒状のホルダーが固着され、当該ホルダーに複数種類の蓋部材が交換可能に取り付けられることを特徴とする遺体袋を提供する。
【００１０】
請求項２の発明では、前記ホルダーは、互いに接合する２つの筒部材からなり、前記連通孔周縁の前記袋部材は、前記２つの筒部材と密着して挟持されることを特徴としている。
【００１１】
請求項３の発明では、前記蓋部材には、消臭又は殺菌作用を有するフィルタが備わることを特徴としている。
【００１２】
請求項４の発明では、前記ホルダーの前記袋部材の外部側には、前記ホルダー内の連通孔から外部へ空気を流通可能とする空気流通構造が形成されることを特徴としている。
【００１３】
請求項５の発明では、前記空気流通構造は、前記ホルダーの前記袋部材の外部側の側壁に形成された貫通孔であることを特徴としている。
【００１４】
請求項６の発明では、前記空気流通構造は、前記ホルダーの前記袋部材の外部側の端面に形成された凸部又は凹部であることを特徴としている。
【００１５】
請求項７の発明では、前記ホルダーと前記蓋部材との接合面に、Ｏリングが介装されることを特徴としている。
【００１６】
請求項８の発明では、前記袋部材の表面には、前記遺体収容空間内に収容された遺体の感染の種類に応じて前記ホルダーに取り付けるべき前記蓋部材の種類を記載した表示部が備わることを特徴としている。
【発明の効果】
【００１７】
請求項１の発明によれば、遺体を収容する開口部とは別に、遺体収容空間と外部とを連通する連通孔を設け、この連通孔の内周に設けた筒状のホルダーを介して着脱可能に複数種類の蓋部材を交換できるので、遺体の種類に応じて適切な蓋部材、すなわち密閉性の蓋部材、消臭フィルタ付きの蓋部材、殺菌フィルタ付きの蓋部材等を選択し、これを取り付けることができる。
【００１８】
請求項２の発明によれば、２つの筒部材で密着して連通孔周縁の袋部材を挟持するため、ホルダー取り付け部分から遺体収容空間内の空気が漏洩することはない。したがって、遺体から腐敗ガスが発生しても、これがホルダー取り付け部分から漏洩することを防止できる。
【００１９】
請求項３の発明によれば、蓋部材には、消臭又は殺菌作用を有するフィルタが備わるため、遺体収容空間内の空気はこのフィルタを介して外部に漏洩する。このため、遺体から腐敗ガスが発生して遺体収容空間が与圧されても、フィルタを通って外部に排出されることになり、腐敗ガスの悪臭は確実にフィルタによって消臭される。また、感染症遺体の場合は、殺菌作用を有するフィルタにすることにより、外部に感染菌が拡散することを防止でき、二次的感染を確実に防止することができる。
【００２０】
請求項４の発明によれば、フィルタを備えた蓋部材を用いた場合において、ホルダーの袋部材の外部側に、ホルダー内の連通孔から外部へ空気を流通可能とする空気流通構造が形成されるため、ホルダー外部の端面が異物等に密着して塞がれても、遺体収容空間内の空気は空気流通構造を通って外部に排出される。したがって、確実に遺体収容空間内の空気をフィルタを介して外部に排出することができ、悪臭や二次的感染を防止できる。
【００２１】
請求項５の発明によれば、空気流通構造として、袋部材の外部側のホルダーの側壁に形成された貫通孔を用いるため、当該貫通孔を介して確実にホルダー内の連通孔から外部に空気の流通経路を確保することができる。したがって、フィルタを備えた蓋部材を用いた場合において、確実に遺体収容空間内の空気をフィルタを介して外部に排出することができる。このため、腐敗ガスによる悪臭や感染菌の漏洩を防止できる。
【００２２】
請求項６の発明によれば、空気流通構造として、袋部材の外部側のホルダーの端面に形成された凸部又は凹部を用いるため、ホルダー端面が異物等に接触しても、ホルダー端面と異物等との間に必ず隙間が形成され、ホルダー端面の全面が異物等に密着して塞がれることはない。これにより、遺体収容空間からホルダー内の連通孔に空気の流通経路を確保することができる。したがって、フィルタを備えた蓋部材を用いた場合において、確実に遺体収容空間内の空気をフィルタを介して外部に排出することができる。このため、腐敗ガスによる悪臭や感染菌の漏洩を防止できる。
【００２３】
請求項７の発明によれば、ホルダーと蓋部材との接合面に、Ｏリングが介装されるため、Ｏリングが気密構造を形成するためのシール材となり、遺体収容空間内の空気がホルダーと蓋部材との接合面から漏洩することはない。このため、腐敗ガスによる悪臭や感染菌の漏洩を防止できる。
【００２４】
請求項８の発明によれば、袋部材の表面に、遺体の感染の種類に応じて取り付けるべき蓋部材の情報が表示されるため、容易に適切な取り扱い方法を把握できるので、経験を問わずに誰でも誤った使用をすることはない。このため、遺体収容空間内からの腐敗ガスによる悪臭や感染菌の漏洩を防止できる。
【発明を実施するための最良の形態】
【００２５】
この発明は、遺体を収容するための開閉可能な開口部を備えた袋部材からなり、当該袋部材には、前記袋部材の内部空間である遺体収容空間と、前記袋部材の外部とを連通する連通孔が備わり、当該連通孔にはホルダーが固着され、当該ホルダーを介して複数種類の蓋部材が交換可能に取り付けられる遺体袋である。
【実施例】
【００２６】
図１はこの発明に係る遺体袋の（Ａ）は平面図、（Ｂ）は側面図である。
【００２７】
図示したように、この発明に係る遺体袋１は、面ファスナー２により開閉可能な開口部を有する袋部材３で構成される（図では面ファスナー２は閉じた状態）。遺体は、この面ファスナー２を開けて袋部材３内の遺体収容空間６に収容される。面ファスナー２は、防水、気密構造を有するものを用いてもよいし、有しないものを用いてもよい。気密構造を有しない面ファスナー２を用いる場合は、遺体を収容して閉じた後に面ファスナー２の表面をテープ等で覆うことが好ましい。また、面ファスナー２は遺体を収容できる開口部を形成できれば、その長さ、位置は自由である。また、面ファスナーの代わりにファスナーを用いてもよい。
【００２８】
袋部材３には、連通孔１１が形成され、ここに円筒状のホルダー４が備わる。このホルダー４を介して、後述する蓋部材５が着脱可能に取り付けられる。遺体を長時間保存する場合、遺体からの腐敗ガスがそのまま漏洩することを防止するため、蓋部材５にフィルタ１２（図３参照）を設け、このフィルタ１２を通して腐敗ガスを消臭、殺菌して外部に放出する。したがって、ホルダー４の袋部材３に対する取り付け位置は、腐敗ガスが多く発生する腹部から上半身部分とすることが好ましいが、フィルタ１２の装着性と搬送作業の容易性を考慮すると頭部位置とすることがさらに好ましい。
【００２９】
ホルダー４の近傍には、遺体収容空間６に収容された遺体の感染の種類に応じてホルダー４に取り付けるべき蓋部材５の種類等の情報を記載した表示部７が備わる。
【００３０】
これにより、容易に遺体袋１の適切な取り扱い方法を把握できるので、経験を問わずに誰でも誤った使用をすることはない。このため、遺体収容空間６内からの腐敗ガスによる悪臭や感染菌の漏洩を防止できる。
【００３１】
袋部材３の周縁には、開口した取っ手８が複数個（図では８個）形成され、複数人がそれぞれ取っ手８の開口に手を入れてこれを持って遺体袋１を搬送可能である。さらに持ち運びやすくするため、取っ手８の外側に丸棒を備え、握りやすくしてもよい。袋部材３の一部は透明シート１６で形成され、ここから遺体収容空間６の遺体の状況を把握できる。この透明シートの位置は、頭部に設けて顔貌を確認できるようにしてもよい。なお、袋部材３全部を透明な部材で形成してもよい。この透明シート１６とは別に、又はこれとともに、遺体の種類や状態のデータ（感染の有無や感染菌の種類）を記載した紙を入れておくためのポケットを形成してもよい。
【００３２】
図２はホルダーの概略端面図である。
【００３３】
図示したように、ホルダー４は、内筒部材９と外筒部材１０で形成される。この内筒部材９と外筒部材１０は、互いに螺着して接合可能である。内筒部材９には、外側に突出した鍔部９ａが形成される。この鍔部９ａの上面と、外筒部材１０の下面とで、連通孔１１の周縁の袋部材３を密着して挟持する。この密着には、接着剤を用いることが好ましい。内筒部材９と外筒部材１０は、袋部材３を密着して挟持できればどのような形状でもよい。また、内筒部材９と外筒部材１０の接合は、ネジ接合に限らず、互いに密着するテーパ面を形成して嵌合させてもよい。これにより、ホルダー４は袋部材に確実に固着される。
【００３４】
図３はホルダーに蓋部材を取り付けた状態を示す概略端面図である。
【００３５】
図示したように、内筒部材９の内側に形成されたネジ溝に、蓋部材５が遺体収容空間６側から螺着して着脱可能に取り付けられる。蓋部材５は略円筒形状であり、内部にフィルタ１２が収納される。したがって、遺体収容空間６の空気は、フィルタ１２を通過して、外部に排出される。フィルタ１２には、消臭作用や殺菌作用、あるいはこの両方の作用を兼ね備えたもの等、遺体の種類に応じてさまざまな種類があり、したがって、これを収納する蓋部材５もフィルタ１２の種類の数だけさまざまな種類がある。なお、蓋部材５を袋部材３の外部側から取り付ける構造としてもよい。
【００３６】
ホルダー４には、このような複数種類の蓋部材５が交換可能に取り付けられる。このように、複数種類の蓋部材５を交換できることにより、遺体の種類、あるいは状態に応じて適切な蓋部材を選択し、これを取り付けることができる。例えば、長期間遺体袋１に遺体を保存する必要があるときは、活性炭フィルタ等、消臭作用を有するフィルタ１２を収納した蓋部材５をホルダー４に取り付け、遺体が感染症遺体の場合には、ウイルスや細菌に対する殺菌作用を有するフィルタ１２を収納した蓋部材５をホルダー４に取り付ければよい。遺体が感染症遺体で、さらに長期間保存する場合には、消臭及び殺菌作用の両方を有するフィルタ１２を収納した蓋部材５を取り付ければよい。
【００３７】
また、鍔部９ａの上面と、外筒部材１０の下面、すなわち内筒部材９と外筒部材１０からなる２つの筒部材で密着して連通孔１１周縁の袋部材３を挟持するため、ホルダー４の取り付け部分から遺体収容空間６内の空気が漏洩することはない。したがって、遺体から腐敗ガスが発生しても、これがホルダー４の取り付け部分から漏洩することを防止できる。
【００３８】
さらに、蓋部材５とホルダー４（図では内筒部材９）の間には、Ｏリング１３が介装される。これにより、Ｏリング１３が気密構造を形成するためのシール材となり、遺体収容空間６内の空気がホルダー４と蓋部材５との接合面から漏洩することはない。このため、腐敗ガスによる悪臭や感染菌の漏洩を防止できる。
【００３９】
また、上述したように、蓋部材５には、消臭又は殺菌作用を有するフィルタ１２が備わるため、遺体収容空間６内の空気はこのフィルタ１２を介して外部に漏洩する。このため、遺体から腐敗ガスが発生して遺体収容空間６が与圧されても、フィルタ１２を通って外部に排出されることになり、腐敗ガスの悪臭や感染菌は確実にフィルタ１２によって消臭、殺菌される。
【００４０】
図４はホルダーに別の蓋部材を取り付けた状態を示す概略端面図である。
【００４１】
図示したように、蓋部材５として、フィルタ１２を備えない密閉式のものを用いてもよい。この蓋部材５は、遺体をすぐに処理する場合等、保存期間が短いときに用いる。なお、途中でフィルタ１２付きの蓋部材５に交換することも可能である。その他の構成、作用、効果は図３の蓋部材５と同様である。
【００４２】
図５はこの発明に係る遺体袋に用いる別のホルダーの概略端面図である。
【００４３】
図示したように、ホルダー４の袋部材３の外部側の側壁、すなわち内筒部材９と外筒部材１０には、これを貫通する貫通孔１４が設けられる。この貫通孔１４は複数個設けてもよい（図では２個）。これにより、ホルダー４の上面が異物等に密着して塞がれても、ホルダー４内の連通孔１１から外部への空気の流通経路を確保することができる。したがって、フィルタ１２を備えた蓋部材５を用いた場合において、確実に遺体収容空間６内の空気をフィルタ１２を介して外部に排出することができる。このため、腐敗ガスによる悪臭や感染菌の漏洩を防止できる。
【００４４】
図６はこの発明に係る遺体袋に用いるさらに別のホルダーの概略端面図である。
【００４５】
図示したように、ホルダー４の外部側の端面に、凸部１５が形成される。このようにホルダー４の外部側の端面を面一にしないことにより、ホルダー４の外部側の端面が異物等に接触しても、ホルダー４の外部側の端面と遺体との間に必ず隙間が形成される。したがって、連通孔１１の外部側の端面の全面が遺体に密着して塞がれることはない。これにより、ホルダー４内の連通孔１１から外部への空気の流通経路を確保することができる。したがって、フィルタ１２を備えた蓋部材５を用いた場合において、確実に遺体収容空間６内の空気をフィルタ１２を介して外部に排出することができる。このため、腐敗ガスによる悪臭や感染菌の漏洩を防止できる。なお、ホルダー４の外部側の端面側を切欠いて凹部を形成し、空気の流通経路を確保してもよい。
【００４６】
上述したように、貫通孔１４又は凸部１５等により、ホルダー４の外部側の端面の開口とは別に、空気の流通経路となる空気流通構造を形成することにより、フィルタ１２を備えた蓋部材５を用いた場合において、ホルダー４の外部側の端面が異物等に密着して塞がれても、遺体収容空間６内の空気は空気流通構造を通って外部に排出される。したがって、確実に遺体収容空間６内の空気をフィルタ１２を介して外部に排出することができ、悪臭や二次的感染を防止できることになる。
【図面の簡単な説明】
【００４７】
【図１】この発明に係る遺体袋の（Ａ）は平面図、（Ｂ）は側面図である。
【図２】ホルダーの概略端面図である。
【図３】ホルダーに蓋部材を取り付けた状態を示す概略端面図である。
【図４】ホルダーに別の蓋部材を取り付けた状態を示す概略端面図である。
【図５】この発明に係る遺体袋に用いる別のホルダーの概略端面図である。
【図６】この発明に係る遺体袋に用いるさらに別のホルダーの概略端面図である。
【符号の説明】
【００４８】
１：遺体袋、２：面ファスナー、３：袋部材、４：ホルダー、５：蓋部材、６：遺体収容空間、７：表示部、８：取っ手、９：内筒部材、９ａ：円環部、１０：外筒部材、１１：連通孔、１２：フィルタ、１３：Ｏリング、１４：貫通孔、１５：凸部、１６：透明シート
【図１】
2009061029.tif 000003
【図２】
2009061029.tif 000004
【図３】
2009061029.tif 000005
【図４】
2009061029.tif 000006
【図５】
2009061029.tif 000007
【図６】
2009061029.tif 000008